(57)【要約】【課題】簡易な構成で各表示装置に所望の画像を容易に表示することができる技術を提供する。【解決手段】本発明の表示装置は、第１の表示装置であって、複数の画像データを取得する取得手段と、前記複数の画像データのいずれかを選択する第１の選択手段と、前記第１の選択手段によって選択された画像データに基づく画像を表示する表示手段と、前記第１の選択手段によって選択された前記画像データに基づく画像を表示する第１の指示を、前記複数の画像データを取得する第２の表示装置に送信する送信手段とを備えることを特徴とする。【選択図】図２
2020126147.tif 000002
【特許請求の範囲】
【請求項１】
第１の表示装置であって、
複数の画像データを取得する取得手段と、
前記複数の画像データのいずれかを選択する第１の選択手段と、
前記第１の選択手段によって選択された画像データに基づく画像を表示する表示手段と、
前記第１の選択手段によって選択された前記画像データに基づく画像を表示する第１の指示を、前記複数の画像データを取得する第２の表示装置に送信する送信手段と
を備えることを特徴とする表示装置。
【請求項２】
前記第１の指示を他の表示装置に送信するが、前記第１の指示を他の表示装置から受信しても、受信した第１の指示に応じない第１のモード、
前記第１の指示を他の表示装置に送信せず、前記第１の指示を他の表示装置から受信した場合に、受信した第１の指示に応じて画像を表示する第２のモード、及び、
前記第１の指示を他の表示装置に送信し、前記第１の指示を他の表示装置から受信した場合に、受信した第１の指示に応じて画像を表示する第３のモード
のいずれかを設定可能な設定手段をさらに備える
ことを特徴とする請求項１に記載の表示装置。
【請求項３】
前記送信手段は、
前記第１の表示装置に前記第２のモードが設定されている場合には、前記第１の指示を送信せず、
前記第１の表示装置に前記第１のモードまたは前記第３のモードが設定されている場合に、前記第１の指示を送信し、
前記第２の表示装置は、
前記第２の表示装置に前記第１のモードが設定されている場合には、前記第１の指示に応じず、
前記第２の表示装置に前記第２のモードまたは前記第３のモードが設定されている場合に、前記第１の指示に応じて画像を表示する
ことを特徴とする請求項２に記載の表示装置。
【請求項４】
前記表示手段は、前記複数の画像データにそれぞれ対応する複数の画像を並べて表示するマルチ表示を実行可能であり、
前記第１の表示装置は、前記表示手段によって前記マルチ表示が行われている状態で前記複数の画像データのいずれかを選択する第２の選択手段をさらに備え、
前記送信手段は、さらに、前記第２の選択手段によって選択された画像データに対応する画像を表示する第２の指示を、前記第２の表示装置に送信する
ことを特徴とする請求項１に記載の表示装置。
【請求項５】
前記第２の表示装置は、前記複数の画像のいずれかを表示するシングル表示と、前記マルチ表示とを実行可能であり、
前記送信手段は、
前記第１の表示装置に第２のモードが設定されている場合には、前記第２の指示を送信せず、
前記第１の表示装置に第１のモードまたは第３のモードが設定されている場合に、前記第２の指示を送信し、
前記第２の表示装置は、
前記第２の表示装置に前記第１のモードが設定されている場合と、前記第２の表示装置によって前記マルチ表示が行われている場合とにおいては、前記第２の指示に応じず、
前記第２の表示装置に前記第２のモードまたは前記第３のモードが設定されており、且つ、前記第２の表示装置によって前記シングル表示が行われている場合に、前記第２の指示に応じて画像を表示する
ことを特徴とする請求項４に記載の表示装置。
【請求項６】
前記送信手段は、
前記第１の表示装置に前記第１のモードまたは前記第３のモードが設定されている場合には、前記第２の選択手段によって選択された前記画像データに対応する画像を選択した状態に前記マルチ表示の状態を切り替える第３の指示を送信せず、
前記第１の表示装置に前記第２のモードが設定されている場合に、前記第３の指示を送信し、
前記第２の表示装置は、
前記第２の表示装置に前記第２のモードまたは前記第３のモードが設定されている場合と、前記第２の表示装置によって前記シングル表示が行われている場合とにおいては、前記第３の指示に応じず、
前記第２の表示装置に前記第１のモードが設定されており、且つ、前記第２の表示装置によって前記マルチ表示が行われている場合に、前記第３の指示に応じて、前記第２の表示装置で行われている前記マルチ表示の状態を、前記第２の選択手段によって選択された前記画像データに対応する画像を選択した状態に切り替える
ことを特徴とする請求項５に記載の表示装置。
【請求項７】
前記表示手段と前記第２の表示装置のそれぞれは、前記複数の画像データにそれぞれ対応する複数の画像のいずれかを表示するシングル表示と、前記複数の画像を並べて表示するマルチ表示とを実行可能であり、
前記送信手段は、さらに、前記表示手段によって前記マルチ表示が行われる場合に、前記シングル表示を行う第４の指示を、前記第２の表示装置に送信する
ことを特徴とする請求項１に記載の表示装置。
【請求項８】
前記送信手段は、
前記第１の表示装置に第２のモードまたは第３のモードが設定されている状態で前記表示手段によって前記マルチ表示が行われる場合には、前記第４の指示を送信せず、
前記第１の表示装置に第１のモードが設定されている状態で前記表示手段によって前記マルチ表示が行われる場合に、前記第４の指示を送信し、
前記第２の表示装置は、
前記第２の表示装置に前記第１のモードが設定されている場合には、前記第４の指示に応じず、
前記第２の表示装置に前記第２のモードまたは前記第３のモードが設定されている場合に、前記第４の指示に応じて前記シングル表示を行う
ことを特徴とする請求項７に記載の表示装置。
【請求項９】
前記送信手段は、
前記第１の表示装置に前記第１のモードまたは前記第２のモードが設定されている状態で前記表示手段によって前記マルチ表示が行われる場合には、前記マルチ表示を行う第５の指示を送信せず、
前記第１の表示装置に前記第３のモードが設定されている状態で前記表示手段によって前記マルチ表示が行われる場合に、前記第５の指示を送信し、
前記第２の表示装置は、
前記第２の表示装置に前記第１のモードが設定されている場合には、前記第５の指示に応じず、
前記第２の表示装置に前記第２のモードまたは前記第３のモードが設定されている場
合に、前記第５の指示に応じて前記マルチ表示を行う
ことを特徴とする請求項８に記載の表示装置。
【請求項１０】
第１の表示装置の制御方法であって、
複数の画像データを取得する取得ステップと、
前記複数の画像データのいずれかを選択する第１の選択ステップと、
前記第１の選択ステップにおいて選択された画像データに基づく画像を表示する表示ステップと、
前記第１の選択ステップにおいて選択された前記画像データに基づく画像を表示する第１の指示を、前記複数の画像データを取得する第２の表示装置に送信する第１の送信ステップと
を有することを特徴とする制御方法。
【請求項１１】
前記第１の指示を他の表示装置に送信するが、前記第１の指示を他の表示装置から受信しても、受信した第１の指示に応じない第１のモード、
前記第１の指示を他の表示装置に送信せず、前記第１の指示を他の表示装置から受信した場合に、受信した第１の指示に応じて画像を表示する第２のモード、及び、
前記第１の指示を他の表示装置に送信し、前記第１の指示を他の表示装置から受信した場合に、受信した第１の指示に応じて画像を表示する第３のモード
のいずれかを設定可能な設定ステップをさらに有する
ことを特徴とする請求項１０に記載の制御方法。
【請求項１２】
前記第１の送信ステップでは、
前記第１の表示装置に前記第２のモードが設定されている場合には、前記第１の指示を送信せず、
前記第１の表示装置に前記第１のモードまたは前記第３のモードが設定されている場合に、前記第１の指示を送信し、
前記第２の表示装置は、
前記第２の表示装置に前記第１のモードが設定されている場合には、前記第１の指示に応じず、
前記第２の表示装置に前記第２のモードまたは前記第３のモードが設定されている場合に、前記第１の指示に応じて画像を表示する
ことを特徴とする請求項１１に記載の制御方法。
【請求項１３】
前記第１の表示装置は、前記複数の画像データにそれぞれ対応する複数の画像を並べて表示するマルチ表示を実行可能であり、
前記制御方法は、
前記第１の表示装置によって前記マルチ表示が行われている状態で前記複数の画像データのいずれかを選択する第２の選択ステップと、
前記第２の選択ステップにおいて選択された画像データに対応する画像を表示する第２の指示を、前記第２の表示装置に送信する第２の送信ステップと、
をさらに有する
ことを特徴とする請求項１０に記載の制御方法。
【請求項１４】
前記第２の表示装置は、前記複数の画像のいずれかを表示するシングル表示と、前記マルチ表示とを実行可能であり、
前記第２の送信ステップでは、
前記第１の表示装置に第２のモードが設定されている場合には、前記第２の指示を送信せず、
前記第１の表示装置に第１のモードまたは第３のモードが設定されている場合に、前
記第２の指示を送信し、
前記第２の表示装置は、
前記第２の表示装置に前記第１のモードが設定されている場合と、前記第２の表示装置によって前記マルチ表示が行われている場合とにおいては、前記第２の指示に応じず、
前記第２の表示装置に前記第２のモードまたは前記第３のモードが設定されており、且つ、前記第２の表示装置によって前記シングル表示が行われている場合に、前記第２の指示に応じて画像を表示する
ことを特徴とする請求項１３に記載の制御方法。
【請求項１５】
前記第１の表示装置に前記第１のモードまたは前記第３のモードが設定されている場合には、前記第２の選択ステップにおいて選択された前記画像データに対応する画像を選択した状態に前記マルチ表示の状態を切り替える第３の指示を送信せず、
前記第１の表示装置に前記第２のモードが設定されている場合に、前記第３の指示を送信する
第３の送信ステップをさらに有し、
前記第２の表示装置は、
前記第２の表示装置に前記第２のモードまたは前記第３のモードが設定されている場合と、前記第２の表示装置によって前記シングル表示が行われている場合とにおいては、前記第３の指示に応じず、
前記第２の表示装置に前記第１のモードが設定されており、且つ、前記第２の表示装置によって前記マルチ表示が行われている場合に、前記第３の指示に応じて、前記第２の表示装置で行われている前記マルチ表示の状態を、前記第２の選択ステップにおいて選択された前記画像データに対応する画像を選択した状態に切り替える
ことを特徴とする請求項１４に記載の制御方法。
【請求項１６】
前記第１の表示装置と前記第２の表示装置のそれぞれは、前記複数の画像データにそれぞれ対応する複数の画像のいずれかを表示するシングル表示と、前記複数の画像を並べて表示するマルチ表示とを実行可能であり、
前記制御方法は、前記第１の表示装置によって前記マルチ表示が行われる場合に、前記シングル表示を行う第４の指示を、前記第２の表示装置に送信する第４の送信ステップをさらに有する
ことを特徴とする請求項１０に記載の制御方法。
【請求項１７】
前記第４の送信ステップでは、
前記第１の表示装置に第２のモードまたは第３のモードが設定されている状態で前記第１の表示装置によって前記マルチ表示が行われる場合には、前記第４の指示を送信せず、
前記第１の表示装置に第１のモードが設定されている状態で前記第１の表示装置によって前記マルチ表示が行われる場合に、前記第４の指示を送信し、
前記第２の表示装置は、
前記第２の表示装置に前記第１のモードが設定されている場合には、前記第４の指示に応じず、
前記第２の表示装置に前記第２のモードまたは前記第３のモードが設定されている場合に、前記第４の指示に応じて前記シングル表示を行う
ことを特徴とする請求項１６に記載の制御方法。
【請求項１８】
前記第１の表示装置に前記第１のモードまたは前記第２のモードが設定されている状態で前記第１の表示装置によって前記マルチ表示が行われる場合には、前記マルチ表示を行う第５の指示を送信せず、
前記第１の表示装置に前記第３のモードが設定されている状態で前記第１の表示装置に
よって前記マルチ表示が行われる場合に、前記第５の指示を送信する
第５の送信ステップをさらに有し、
前記第２の表示装置は、
前記第２の表示装置に前記第１のモードが設定されている場合には、前記第５の指示に応じず、
前記第２の表示装置に前記第２のモードまたは前記第３のモードが設定されている場合に、前記第５の指示に応じて前記マルチ表示を行う
ことを特徴とする請求項１７に記載の制御方法。
【請求項１９】
請求項１０〜１８のいずれか１項に記載の制御方法の各ステップをコンピュータに実行させるためのプログラム。
【請求項２０】
請求項１０〜１８のいずれか１項に記載の制御方法の各ステップをコンピュータに実行させるためのプログラムを格納したコンピュータが読み取り可能な記憶媒体。
【発明の詳細な説明】
【技術分野】
【０００１】
本発明は、表示装置及びその制御方法に関する。
【背景技術】
【０００２】
表示装置による表示の種類（表示レイアウト）として、１つの画面に１つの画像を表示するシングル表示と、１つの画面に複数の画像を並べて表示するマルチ表示とが存在する。
【０００３】
撮影現場では、複数台のカメラで撮影された複数の画像をマルチ表示で１台の表示装置に表示し、表示された複数の画像から選択した画像をシングル表示で他の表示装置に表示することがある。さらに、離れた場所にいる複数の人物が同じ画像を確認できるように、各表示装置に同じ画像をシングル表示で表示することもある。
【０００４】
撮影現場では、スイッチャを用いて、各表示装置に表示（出力）する画像が切り替えられる。しかしながら、この方法では、機材を置けるスペースが狭い小規模の撮影現場などのように、スイッチャを持ち込めない撮影現場では、各表示装置に所望の画像を容易に表示できない。
【０００５】
特許文献１には、表示部とスイッチャを備えたリモコンが、マルチ表示を行い、マルチ表示で表示された複数の画像のいずれかを選択して外部表示装置（リモコンとは別体の表示装置）に出力する技術が開示されている。
【先行技術文献】
【特許文献】
【０００６】
【特許文献１】特開平１１−１１２８９３号公報
【発明の概要】
【発明が解決しようとする課題】
【０００７】
しかしながら、特許文献１に開示の技術では、リモコンで外部表示装置の表示を制御することはできるが、外部表示装置でリモコンの表示を制御することはできない。つまり、一方向の制御はできるが、双方向の制御はできない。さらに、外部表示装置はリモコンから出力された画像しか表示できないため、ユーザは、外部表示装置に表示する画像を切り替えたい場合に、リモコンを操作しなければならず、手間がかかる。
【０００８】
本発明は、簡易な構成で各表示装置に所望の画像を容易に表示することができる技術を提供することを目的とする。
【課題を解決するための手段】
【０００９】
本発明の第１の態様は、第１の表示装置であって、複数の画像データを取得する取得手段と、前記複数の画像データのいずれかを選択する第１の選択手段と、前記第１の選択手段によって選択された画像データに基づく画像を表示する表示手段と、前記第１の選択手段によって選択された前記画像データに基づく画像を表示する第１の指示を、前記複数の画像データを取得する第２の表示装置に送信する送信手段とを備えることを特徴とする表示装置である。
【００１０】
本発明の第２の態様は、第１の表示装置の制御方法であって、複数の画像データを取得する取得ステップと、前記複数の画像データのいずれかを選択する第１の選択ステップと
、前記第１の選択ステップにおいて選択された画像データに基づく画像を表示する表示ステップと、前記第１の選択ステップにおいて選択された前記画像データに基づく画像を表示する第１の指示を、前記複数の画像データを取得する第２の表示装置に送信する第１の送信ステップとを有することを特徴とする制御方法である。
【００１１】
本発明の第３の態様は、上述した制御方法の各ステップをコンピュータに実行させるためのプログラムである。本発明の第４の態様は、上述した制御方法の各ステップをコンピュータに実行させるためのプログラムを格納したコンピュータが読み取り可能な記憶媒体である。。
【発明の効果】
【００１２】
本発明によれば、簡易な構成で各表示装置に所望の画像を容易に表示することができる。
【図面の簡単な説明】
【００１３】
【図１】実施例１に係る表示システムの構成の一例を示す模式図である。
【図２】実施例１に係る表示装置の構成の一例を示すブロック図である。
【図３】実施例１に係るＯＳＤ画像データの一例を示す模式図である。
【図４】実施例１に係る画像切替要求の一例を示す図である。
【図５】実施例１に係る表示装置の処理フローの一例を示すフロー図である。
【図６】実施例１に係る表示装置の処理フローの一例を示すフロー図である。
【図７】実施例１に係る動作の一例を示す模式図である。
【図８】実施例２に係る動作の一例を示す模式図である。
【図９】実施例２に係る表示装置の処理フローの一例を示すフロー図である。
【図１０】実施例２に係る表示装置の処理フローの一例を示すフロー図である。
【図１１】実施例２に係る動作の一例を示す模式図である。
【図１２】実施例３に係る動作の一例を示す模式図である。
【図１３】実施例３に係るレイアウト切替要求の一例を示す図である。
【図１４】実施例３に係る表示装置の処理フローの一例を示すフロー図である。
【図１５】実施例３に係る表示装置の処理フローの一例を示すフロー図である。
【図１６】実施例３に係る動作の一例を示す模式図である。
【発明を実施するための形態】
【００１４】
＜実施例１＞
以下、本発明の実施例１について説明する。本実施例では、複数の表示装置がシングル表示で同じ画像を表示するように制御する例を説明する。シングル表示では、１つの画面に１つの画像が表示される。
【００１５】
（表示システムの構成）
図１は、本実施例に係る表示システムの構成の一例を示す模式図である。図１に示すように、表示システムは、表示装置１００と表示装置２００を有する。表示装置１００と表示装置２００のそれぞれは、有線または無線で外部装置（例えばカメラ）から複数の画像データを取得（受信）する。例えば、表示装置１００と表示装置２００のそれぞれは、外部装置からＳＤＩケーブルを介して複数の画像データを取得する。さらに、表示装置１００と表示装置２００は、有線または無線で互いに通信（双方向通信）可能に接続されている。例えば、表示装置１００と表示装置２００は、ＬＡＮ（Ｌｏｃａｌ  Ａｒｅａ  Ｎｅｔｗｏｒｋ）ケーブルで互いに接続されている。なお、表示システムは、互いに通信可能に接続された３台以上の表示装置を有してもよい。
【００１６】
（表示装置の構成）
図２は、表示装置１００の構成の一例を示すブロック図である。なお、表示装置２００の構成は表示装置１００の構成と同様であり、表示装置２００は、以下の説明における「表示装置１００」を「表示装置２００」と読み替え且つ「表示装置２００」を「表示装置１００」と読み替えた処理を行う。図２に示すように、表示装置１００は、取得部１０１、解析部１０２、レイアウト部１０３、操作部１０４、記憶部１０５、通信部１０６、制御部１０７、合成部１０８、及び、表示部１０９を備える。
【００１７】
取得部１０１は、外部装置から複数の画像データ（複数の入力画像データ）を取得し、複数の入力画像データを解析部１０２へ出力する。なお、取得部１０１は、複数の入力画像データを受信する１つの端子（受信端子）であってもよいし、複数の入力画像データを受信する複数の端子であってもよい。
【００１８】
解析部１０２は、取得部１０１から出力された複数の入力画像データを解析し、複数の入力画像データと、解析結果とをレイアウト部１０３へ出力する。例えば、解析部１０２は、複数の入力画像データのそれぞれから、解析結果として、解像度、有効画素数、総画素数、フレーム周波数、及び、Ｐａｙｌｏａｄの少なくともいずれかを含む画像情報を取得する。Ｐａｙｌｏａｄは、入力画像データであるＳＤＩ信号のブランキング領域に含まれており、当該ＳＤＩ信号の特性（カラーフォーマット、色深度、フレーム周波数、等）を示す。Ｐａｙｌｏａｄは、ＳＭＰＴＥ規格で定義された情報である。
【００１９】
レイアウト部１０３は、制御部１０７から通知された表示レイアウト（表示の種類；シングル表示またはマルチ表示）に対応するレイアウト画像データを、解析部１０２から出力された複数の入力画像データに基づいて生成する。そして、レイアウト部１０３は、レイアウト画像データを合成部１０８へ出力する。レイアウト部１０３は、レイアウト画像データを生成するために、スケーリング（拡大または縮小）、トリミング、等の画像処理を適宜行う。スケーリングの倍率（拡大率または縮小率）は、例えば、解析部１０２から通知された解像度（入力画像データによって表された画像の解像度）と、表示装置１００の解像度（表示面に表示される画像の解像度）とに基づいて決定される。
【００２０】
シングル表示の場合は、複数の入力画像データにそれぞれ対応する複数の画像のいずれかが表示装置１００（表示部１０９）の表示面に表示される。具体的には、レイアウト部１０３は、複数の入力画像データのいずれかを選択し、選択した画像データに基づく画像が配置されたレイアウト画像データを生成する。さらに、レイアウト部１０３は、制御部１０７から出力された画像切替要求に応じて、複数の入力画像データの間で、選択する画像データを切り替える。画像切替要求は、シングル表示に用いる入力画像データを切り替えるための要求であればよく、シングル表示に用いる端子（受信端子）を切り替えるための要求であってもよいし、そうでなくてもよい。
【００２１】
マルチ表示の場合は、複数の入力画像データにそれぞれ対応する複数の画像が表示装置１００（表示部１０９）の表示面に並べられて表示される。具体的には、レイアウト部１０３は、複数の入力画像データに基づく複数の画像が配置されたレイアウト画像データを生成する。
【００２２】
操作部１０４は、動作モードを切り替えるためのモード切替操作、表示レイアウトを切り替えるためのレイアウト切替操作、シングル表示に用いる入力画像データを切り替えるための画像切替操作、等のユーザ操作を受け付けることができる。そして、操作部１０４は、表示装置１００に対するユーザ操作が行われた場合に、行われたユーザ操作に応じた情報（要求）を制御部１０７へ出力する。具体的には、操作部１０４は、モード切替操作に応じて、切り替え後の動作モードを制御部１０７へ通知し、レイアウト切替操作に応じて、切り替え後の表示レイアウトを制御部１０７へ通知する。また、操作部１０４は、画
像切替操作に応じて画像切替要求を制御部１０７へ出力する。
【００２３】
さらに、本実施例では、操作部１０４は、ＯＳＤ（Ｏｎ  Ｓｃｒｅｅｎ  Ｄｉｓｐｌａｙ）画像データを生成し、ＯＳＤ画像データを合成部１０８へ出力することができる。ＯＳＤ画像データは、例えば、ユーザ操作を補助するＧＵＩ（Ｇｒａｐｈｉｃａｌ  Ｕｓｅｒ  Ｉｎｔｅｒｆａｃｅ）画像データであり、メニューなどを表す。図３は、モード切替操作を補助するＯＳＤ画像データ（メニュー）の一例を示す模式図である。本実施例では、表示装置１００は、連動モードＯＦＦ、連動モード１（親）、連動モード１（子）、及び、連動モード２のいずれかを設定可能である。ユーザは、連動モードＯＦＦ、連動モード１（親）、連動モード１（子）、及び、連動モード２のいずれかを選択でき、ユーザによって選択された動作モードが設定される。
【００２４】
本実施例では、連動モードＯＦＦは、表示装置１００での表示と表示装置２００での表示とを連動させない場合に選択される（非連動）。連動モード１（親）と連動モード１（子）は、表示装置１００と表示装置２００の一方の装置での表示に他方の装置での表示を連動させるが、他方の装置での表示に一方の装置での表示を連動させない場合に選択される（一方向の連動）。連動モード１（親）が設定された表示装置での表示に、連動モード１（子）が設定された表示装置での表示が連動する。連動モード２は、表示装置１００での表示と表示装置２００での表示とを互いに連動させる場合に選択される（双方向の連動）。換言すれば、連動モード２は、表示装置１００での表示に表示装置２００での表示を連動させ、且つ、表示装置２００での表示に表示装置１００での表示を連動させる場合に選択される。
【００２５】
具体的には、連動モードＯＦＦ、連動モード１（親）、連動モード１（子）、及び、連動モード２は以下の通りである。
連動モードＯＦＦ：画像切替要求を表示装置２００に送信せず、画像切替要求を表示装置２００から受信しても、受信した画像切替要求に応じない動作モード
連動モード１（親）：画像切替要求を表示装置２００に送信するが、画像切替要求を表示装置２００から受信しても、受信した画像切替要求に応じない動作モード
連動モード１（子）：画像切替要求を表示装置２００に送信せず、画像切替要求を表示装置２００から受信した場合に、受信した画像切替要求に応じて画像を表示する動作モード
連動モード２：画像切替要求を表示装置２００に送信し、画像切替要求を表示装置２００から受信した場合に、受信した画像切替要求に応じて画像を表示する動作モード
【００２６】
記憶部１０５は、表示装置１００の表示レイアウト、動作モード、等を示す設定情報を記憶する。
【００２７】
通信部１０６は、表示装置２００との通信を行う。本実施例では、通信部１０６は、表示装置２００との間で画像切替要求の送受信を行う。通信部１０６は、制御部１０７から出力された画像切替要求を表示装置２００へ出力したり、表示装置２００から出力された画像切替要求を制御部１０７へ出力したりする。表示装置２００へ出力される画像切替要求は、表示装置１００のシングル表示と同じ入力画像データを用いたシングル表示を表示装置２００に行わせる指示である。表示装置２００から出力される画像切替要求は、表示装置２００のシングル表示と同じ入力画像データを用いたシングル表示を表示装置１００に行わせる指示である。
【００２８】
ここで、画像切替要求が、シングル表示に用いる端子（受信端子）を切り替えるための要求である場合を考える。この場合には、例えば、図４に示すように、ＨＴＴＰ（ＨｙｐｅｒＴｅｘｔ  Ｔｒａｎｓｆｅｒ  Ｐｒｏｔｏｃｏｌ）通信のデータ部を用いて、切り替
え後の端子を識別する情報が画像切替要求として送受信される。画像切替要求は、シングル表示に用いる入力画像データを切り替えるための要求でもある。このため、切り替え後の入力画像データを識別する情報が画像切替要求として送受信されてもよい。
【００２９】
制御部１０７は、表示装置１００の各処理を制御する。本実施例では、モード切替操作が行われて、切り替え後の動作モードが操作部１０４から制御部１０７へ通知された場合に、制御部１０７は、通知された動作モードの情報を記憶部１０５に記録する（動作モードの設定）。レイアウト切替操作が行われて、切り替え後の表示レイアウトが操作部１０４から制御部１０７へ通知された場合に、制御部１０７は、通知された表示レイアウトの情報を記憶部１０５に記録する（表示レイアウトの設定）。さらに、制御部１０７は、表示レイアウトの情報（現在の表示レイアウトの設定情報（設定値））を記憶部１０５から取得し（読み出し）、現在の表示レイアウトをレイアウト部１０３へ通知する。
【００３０】
また、本実施例では、画像切替操作が行われて、画像切替要求が操作部１０４から制御部１０７へ出力された場合に、制御部１０７は、操作部１０４から出力された画像切替要求をレイアウト部１０３へ出力する。その後、制御部１０７は、動作モードの情報（現在の動作モードの設定情報（設定値））を記憶部１０５から取得する。そして、制御部１０７は、現在の動作モードに応じて、通信部１０６を介して表示装置２００へ画像切替要求（例えば、操作部１０４から出力された画像切替要求）を送信する。さらに、制御部１０７は、表示装置２００から通信部１０６を介して画像切替要求を受信した場合に、現在の動作モードの設定情報を記憶部１０５から取得する。そして、制御部１０７は、現在の動作モードに応じて、レイアウト部１０３へ画像切替要求（例えば、表示装置２００から受信した画像切替要求）を出力する。
【００３１】
合成部１０８は、レイアウト部１０３から出力されたレイアウト画像データに、操作部１０４から出力されたＯＳＤ画像データを合成することにより、表示画像データを生成する。表示画像データによって表された画像には、レイアウト画像データによって表された画像（レイアウト画像）と、ＯＳＤ画像データによって表された画像（ＯＳＤ画像）とが配置されている。例えば、表示画像データは、レイアウト画像の一部にＯＳＤ画像が重ねられた画像を表す。操作部１０４からＯＳＤ画像データが出力されない場合には、レイアウト画像データが表示画像データとなる。合成部１０８は、表示画像データを表示部１０９へ出力する。
【００３２】
表示部１０９は、シングル表示とマルチ表示を実行可能な表示部であり、本実施例では合成部１０８から出力された表示画像データに基づく画像を表示面に表示する。表示部１０９は、液晶パネルとバックライトモジュールの組み合わせ、有機ＥＬパネル、等である。
【００３３】
（処理フロー）
表示装置１００と表示装置２００の処理フローの一例について説明する。ここでは、表示装置１００のシングル表示に用いる入力画像データを入力画像データＡから入力画像データＢに切り替える画像切替操作が行われたとする。
【００３４】
図５は、表示装置１００の処理フローの一例を示すフローチャートである。表示装置１００に対する画像切替操作が行われたことに応じて、図５の処理フローが開始される。なお、以下の説明における各機能部は、表示装置１００に設けられた機能部である。
【００３５】
ステップＳ５０１において、制御部１０７は、操作部１０４から画像切替要求を取得し、取得した画像切替要求をレイアウト部１０３へ出力する。レイアウト部１０３は、制御部１０７から出力された画像切替要求に応じて、入力画像データＢのシングル表示が表示
部１０９で行われるように、レイアウト画像データを更新する。
【００３６】
ステップＳ５０２において、制御部１０７は、現在の動作モードの設定情報を記憶部１０５から取得する。
【００３７】
ステップＳ５０３において、制御部１０７は、ステップＳ５０２で取得した設定情報に応じて、現在の動作モードが連動モード１（連動モード１（親）または連動モード１（子））であるか否かを判断する。現在の動作モードが連動モード１である場合にはステップＳ５０４へ処理が進められ、現在の動作モードが連動モード１でない場合（現在の動作モードが連動モードＯＦＦまたは連動モード２である場合）にはステップＳ５０５へ処理が進められる。
【００３８】
ステップＳ５０４において、制御部１０７は、ステップＳ５０２で取得した設定情報に応じて、現在の動作モードが連動モード１（親）であるか否かを判断する。現在の動作モードが連動モード１（親）である場合には、ステップＳ５０６へ処理が進められる。現在の動作モードが連動モード１（親）でない場合（現在の動作モードが連動モード１（子）である場合）には、ステップＳ５０１で取得した画像切替要求が表示装置２００に送信されることなく、本処理フローが終了される。
【００３９】
ステップＳ５０５において、制御部１０７は、ステップＳ５０２で取得した設定情報に応じて、現在の動作モードが連動モード２であるか否かを判断する。現在の動作モードが連動モード２である場合にはステップＳ５０６へ処理が進められる。現在の動作モードが連動モード２でない場合（現在の動作モードが連動モードＯＦＦである場合）には、ステップＳ５０１で取得した画像切替要求が表示装置２００に送信されることなく、本処理フローが終了される。
【００４０】
ステップＳ５０６において、制御部１０７は、ステップＳ５０１で取得した画像切替要求を、通信部１０６を介して表示装置２００へ送信する。なお、表示装置２００へ送信される画像切替要求は、表示装置１００のシングル表示と同じ入力画像データＢを用いたシングル表示を表示装置２００に行わせる指示であればよく、ステップＳ５０１で取得された画像切替要求と異なってもよい。
【００４１】
図６は、表示装置２００の処理フローの一例を示すフローチャートである。表示装置２００が表示装置１００から画像切替要求を受信したことに応じて、図６の処理フローが開始される。なお、以下の説明における各機能部は、表示装置２００に設けられた機能部である。
【００４２】
ステップＳ６０１において、制御部１０７は、現在の動作モードの設定情報を記憶部１０５から取得する。
【００４３】
ステップＳ６０２において、制御部１０７は、ステップＳ６０１で取得した設定情報に応じて、現在の動作モードが連動モード１であるか否かを判断する。現在の動作モードが連動モード１である場合にはステップＳ６０３へ処理が進められ、現在の動作モードが連動モード１でない場合にはステップＳ６０４へ処理が進められる。
【００４４】
ステップＳ６０３において、制御部１０７は、ステップＳ６０１で取得した設定情報に応じて、現在の動作モードが連動モード１（親）であるか否かを判断する。現在の動作モードが連動モード１（親）でない場合（現在の動作モードが連動モード１（子）である場合）には、ステップＳ６０５へ処理が進められる。現在の動作モードが連動モード１（親）である場合には、表示装置１００から受信した画像切替要求に応じることなく、本処理
フローが終了される。
【００４５】
ステップＳ６０４において、制御部１０７は、ステップＳ６０１で取得した設定情報に応じて、現在の動作モードが連動モード２であるか否かを判断する。現在の動作モードが連動モード２である場合にはステップＳ６０５へ処理が進められる。現在の動作モードが連動モード２でない場合（現在の動作モードが連動モードＯＦＦである場合）には、表示装置１００から受信した画像切替要求に応じることなく、本処理フローが終了される。
【００４６】
ステップＳ６０５において、制御部１０７は、表示装置１００から受信した画像切替要求をレイアウト部１０３へ出力する。レイアウト部１０３は、制御部１０７から出力された画像切替要求に応じて、入力画像データＢのシングル表示が表示部１０９で行われるように、レイアウト画像データを更新する。なお、レイアウト部１０３へ出力される画像切替要求は、表示装置１００のシングル表示と同じ入力画像データＢを用いたシングル表示を行う指示であればよく、表示装置１００から受信した画像切替要求と異なってもよい。
【００４７】
以上の処理によれば、簡易な構成で表示装置１００と表示装置２００のそれぞれに所望の画像を容易に表示することができる。
【００４８】
まず、表示装置１００と表示装置２００に連動モード２が設定されており、且つ、表示装置１００のシングル表示に用いる入力画像データを入力画像データＡから入力画像データＢに切り替える画像切替操作が行われた場合を考える。この場合には、図７（Ａ）に示すように、表示装置１００に対する画像切替操作に応じて、表示装置１００のシングル表示に用いる入力画像データが入力画像データＢに切り替えられる。そして、表示装置１００に対する画像切替操作に応じた画像切替要求が表示装置２００に自動で送信され、表示装置２００のシングル表示に用いる入力画像データも入力画像データＢに自動で切り替えられる。同様に、表示装置２００に対する画像切替操作が行われた場合にも、表示装置１００と表示装置２００が連動して同じシングル表示を行う。つまり、表示装置１００と表示装置２００が互いに（双方向に）連動する。
【００４９】
このように、画像データに比べデータサイズが小さい画像切替要求を表示装置１００と表示装置２００の間で送受信するという簡易な構成で、表示装置１００と表示装置２００を連動させることができる。さらに、表示装置１００と表示装置２００のそれぞれが複数の入力画像データを取得するため、表示装置１００と表示装置２００を双方向に連動させることができ、表示装置１００と表示装置２００に同じシングル表示を容易に行わせることができる。具体的には、画像切替操作が行われる表示装置に依らず、表示装置１００と表示装置２００に同じシングル表示を行わせることができる。
【００５０】
次に、表示装置１００に連動モード１（子）が、表示装置２００に連動モード１（親）が設定されており、且つ、表示装置１００のシングル表示に用いる入力画像データを入力画像データＢに切り替える画像切替操作が行われた場合を考える。この場合には、図７（Ｂ）に示すように、表示装置２００が表示装置１００に対する画像切替操作に応じることなく（表示装置１００と表示装置２００が連動することなく）、表示装置１００のシングル表示に用いる入力画像データのみが切り替えられる。一方で、表示装置２００に対する画像切替操作が行われた場合には、表示装置１００に連動して、表示装置２００のシングル表示に用いる入力画像データも切り替えられる。つまり、表示装置１００と表示装置２００が一方向に連動する。
【００５１】
このように、表示装置１００と表示装置２００を一方向に連動させることができる。具体的には、表示装置１００と表示装置２００のうち、連動モード１（親）が設定されている表示装置に対する画像切替操作により、表示装置１００と表示装置２００を連動させる
ことができる。そして、上述したように、表示装置１００と表示装置２００のそれぞれが複数の入力画像データを取得する。このため、表示装置１００と表示装置２００のうち、連動モード１（子）が設定されている表示装置に対する画像切替操作により、表示装置１００と表示装置２００を連動させずに、連動モード１（子）の表示装置に表示される画像を切り替えることができる。
【００５２】
なお、表示装置１００，２００の動作モードに依らずに、図５のＳ５０６の処理と、図６のＳ６０５の処理とが行われてもよい。
【００５３】
＜実施例２＞
以下、本発明の実施例２について説明する。本実施例では、図８に示すように、或る表示装置のマルチ表示（１つの画面に複数の画像を並べた表示）で選択された画像を、他の表示装置がシングル表示で表示するように制御する例を説明する。なお、以下では、実施例１と異なる点（構成、処理、等）について詳しく説明し、実施例１と同じ点についての説明は省略する。
【００５４】
（表示装置の構成）
本実施例に係る表示装置１００の構成の一例について説明する。なお、表示装置２００の構成は表示装置１００の構成と同様であり、表示装置２００は、以下の説明における「表示装置１００」を「表示装置２００」と読み替え且つ「表示装置２００」を「表示装置１００」と読み替えた処理を行う。
【００５５】
本実施例では、操作部１０４は、表示部１０９によってマルチ表示が行われている状態で、マルチ表示で表示された複数の画像（複数の画像データ）のいずれかを選択するための選択操作を受け付けることができる。そして、操作部１０４は、選択操作に応じて、マルチ表示で表示された複数の画像のいずれかを選択し、ＯＳＤ画像データ（選択した画像をユーザが直感的に認識できるように表示する画像データ；例えば選択枠）を生成して合成部１０８へ出力する。さらに、操作部１０４は、選択操作に応じて、画像切替要求を制御部１０７へ出力する。選択操作に応じて出力される画像切替要求は、選択操作に応じて選択された画像を表示する指示である。
【００５６】
また、本実施例では、操作部１０４は、制御部１０７からＯＳＤ表示要求を取得することがある。ここで、ＯＳＤ表示要求は、表示装置２００に対する選択操作に応じて選択された画像を選択した状態に表示装置１００でのマルチ表示の状態を切り替える指示であり、例えば画像切替要求と同様のデータ構造を有する。そして、操作部１０４は、ＯＳＤ表示要求に応じて、表示装置２００に対する選択操作に応じて選択された画像を選択した状態に表示装置１００でのマルチ表示の状態を切り替える処理を行う。本実施例では、操作部１０４は、ＯＳＤ表示要求に応じて、ＯＳＤ画像データ（表示装置２００に対する選択操作に応じて選択された画像をユーザが直感的に認識できるように表示する画像データ；例えば選択枠）を生成して合成部１０８へ出力する。
【００５７】
本実施例では、表示装置１００に対する選択操作に応じた画像切替要求が操作部１０４から制御部１０７へ出力された場合に、制御部１０７は、現在の動作モードの設定情報を記憶部１０５から取得する。そして、制御部１０７は、現在の動作モードに応じて、通信部１０６を介して表示装置２００へ、画像切替要求（例えば、操作部１０４から出力された画像切替要求）またはＯＳＤ表示要求を送信する。ここで、ＯＳＤ表示要求は、表示装置１００に対する選択操作に応じて選択された画像を選択した状態に表示装置２００でのマルチ表示の状態を切り替える指示である。表示装置１００において、表示装置１００に対する選択操作に応じた画像切替要求は、制御部１０７からレイアウト部１０３へは出力されず、マルチ表示が維持される。
【００５８】
また、本実施例では、制御部１０７は、表示装置２００から通信部１０６を介して画像切替要求またはＯＳＤ表示要求を受信することがある。この場合に、制御部１０７は、現在の動作モードの設定情報を記憶部１０５から取得する。そして、制御部１０７は、現在の動作モードに応じて、画像切替要求（例えば、表示装置２００から受信した画像切替要求）またはＯＳＤ表示要求（例えば、表示装置２００から受信したＯＳＤ表示要求）を出力する。画像切替要求はレイアウト部１０３へ出力され、ＯＳＤ表示要求は操作部１０４へ出力される。ここで、ＯＳＤ表示要求は、表示装置２００に対する選択操作に応じて選択された画像を選択した状態に表示装置１００でのマルチ表示の状態を切り替える指示である。
【００５９】
（処理フロー）
本実施例に係る表示装置１００と表示装置２００の処理フローの一例について説明する。ここでは、マルチ表示を行っている表示装置１００に対して、入力画像データＢを選択する選択操作が行われたとする。
【００６０】
図９は、表示装置１００の処理フローの一例を示すフローチャートである。ここでは、表示装置１００がマルチ表示を行っているものとする。表示装置１００に対する選択操作が行われたことに応じて、図９の処理フローが開始される。なお、以下の説明における各機能部は、表示装置１００に設けられた機能部である。
【００６１】
ステップＳ９０１において、操作部１０４は、ＯＳＤ画像データを生成して合成部１０８へ出力する。これにより、表示装置１００のマルチ表示おいて、入力画像データＢを示す選択枠が表示される。さらに、操作部１０４は、画像切替要求（入力画像データＢに対応する画像切替要求）を制御部１０７へ出力する。
【００６２】
ステップＳ９０２において、制御部１０７は、現在の動作モードの設定情報を記憶部１０５から取得する。
【００６３】
ステップＳ９０３において、制御部１０７は、ステップＳ９０２で取得した設定情報に応じて、現在の動作モードが連動モード１であるか否かを判断する。現在の動作モードが連動モード１である場合にはステップＳ９０４へ処理が進められ、現在の動作モードが連動モード１でない場合にはステップＳ９０５へ処理が進められる。
【００６４】
ステップＳ９０４において、制御部１０７は、ステップＳ９０２で取得した設定情報に応じて、現在の動作モードが連動モード１（親）であるか否かを判断する。現在の動作モードが連動モード１（親）である場合には、ステップＳ９０７へ処理が進められる。現在の動作モードが連動モード１（親）でない場合（現在の動作モードが連動モード１（子）である場合）には、ステップＳ９０６へ処理が進められる。
【００６５】
ステップＳ９０５において、制御部１０７は、ステップＳ９０２で取得した設定情報に応じて、現在の動作モードが連動モード２であるか否かを判断する。現在の動作モードが連動モード２である場合にはステップＳ９０７へ処理が進められる。現在の動作モードが連動モード２でない場合（現在の動作モードが連動モードＯＦＦである場合）には、画像切替要求とＯＳＤ表示要求が表示装置２００に送信されることなく、本処理フローが終了される。
【００６６】
ステップＳ９０６において、制御部１０７は、ステップＳ９０１で取得した画像切替要求に対応するＯＳＤ表示要求（入力画像データＢに対応するＯＳＤ表示要求）を生成し、通信部１０６を介して表示装置２００へ送信する。ここでは、画像切替要求は表示装置２
００へ送信されない。
【００６７】
ステップＳ９０７において、制御部１０７は、ステップＳ９０１で取得した画像切替要求を、通信部１０６を介して表示装置２００へ送信する。ここでは、ＯＳＤ表示要求は表示装置２００へ送信されない。なお、表示装置２００へ送信される画像切替要求は、表示装置１００に対する選択操作で選択された入力画像データＢのシングル表示を表示装置２００に行わせる指示であればよく、ステップＳ９０１で取得された画像切替要求と異なってもよい。
【００６８】
図１０は、表示装置２００の処理フローの一例を示すフローチャートである。表示装置２００が表示装置１００から画像切替要求またはＯＳＤ表示要求を受信したことに応じて、図１０の処理フローが開始される。なお、以下の説明における各機能部は、表示装置２００に設けられた機能部である。
【００６９】
ステップＳ１００１において、制御部１０７は、現在の動作モードと現在の表示レイアウトの設定情報を記憶部１０５から取得する。
【００７０】
ステップＳ１００２において、制御部１０７は、表示装置１００から受信した要求（受信要求）がＯＳＤ表示要求であるか否かを判断する。受信要求がＯＳＤ表示要求である場合にはステップＳ１００３へ処理が進められ、受信要求がＯＳＤ表示要求でない場合（受信要求が画像切替要求である場合）にはステップＳ１００５へ処理が進められる。
【００７１】
ステップＳ１００３において、制御部１０７は、ステップＳ１００１で取得した設定情報に応じて、現在の動作モードが連動モード１（親）であり、且つ、現在の表示レイアウトがマルチ表示であるか否かを判断する。現在の動作モードが連動モード１（親）であり、且つ、現在の表示レイアウトがマルチ表示である場合にはステップＳ１００４へ処理が進められる。そうでない場合には、表示装置１００から受信したＯＳＤ表示要求に応じることなく、本処理フローが終了される。例えば、現在の動作モードが連動モード１（子）である場合、現在の動作モードが連動モード２である場合、現在の表示レイアウトがシングル表示である場合、等では、表示装置１００から受信したＯＳＤ表示要求に応じることなく、本処理フローが終了される。
【００７２】
ステップＳ１００４において、制御部１０７は、表示装置１００から受信したＯＳＤ表示要求を操作部１０４へ出力する。表示装置２００のマルチ表示おいて、入力画像データＢを示す選択枠が表示されるように、操作部１０４は、制御部１０７から出力されたＯＳＤ表示要求に応じて、ＯＳＤ画像データを生成して合成部１０８へ出力する。なお、操作部１０４へ出力されるＯＳＤ表示要求は、表示装置１００でのマルチ表示の状態と同じ状態に表示装置２００でのマルチ表示の状態を切り替える指示であればよく、表示装置１００から受信したＯＳＤ表示要求と異なってもよい。
【００７３】
ステップＳ１００５において、制御部１０７は、ステップＳ１００１で取得した設定情報に応じて、現在の動作モードが連動モード１（子）または連動モード２であり、且つ、現在の表示レイアウトがシングル表示であるか否かを判断する。現在の動作モードが連動モード１（子）または連動モード２であり、且つ、現在の表示レイアウトがシングル表示である場合にはステップＳ１００６へ処理が進められる。そうでない場合には、表示装置１００から受信した画像切替要求に応じることなく、本処理フローが終了される。例えば、現在の動作モードが連動モード１（親）である場合、現在の表示レイアウトがマルチ表示である場合、等において、表示装置１００から受信した画像切替要求に応じることなく、本処理フローが終了される。
【００７４】
ステップＳ１００６において、制御部１０７は、表示装置１００から受信した画像切替要求をレイアウト部１０３へ出力する。レイアウト部１０３は、制御部１０７から出力された画像切替要求に応じて、入力画像データＢのシングル表示が表示部１０９で行われるように、レイアウト画像データを更新する。なお、レイアウト部１０３へ出力される画像切替要求は、表示装置１００に対する選択操作で選択された入力画像データＢのシングル表示を行う指示であればよく、表示装置１００から受信した画像切替要求と異なってもよい。
【００７５】
以上の処理によれば、例えば、表示装置１００のマルチ表示で選択された画像を表示装置２００がシングル表示で表示するように、表示装置１００と表示装置２００を連動させることができる（図１１）。さらに、表示装置１００でのマルチ表示の状態と同じ状態に表示装置２００でのマルチ表示の状態が切り替わるように、表示装置１００と表示装置２００を連動させることもできる。そして、以上の処理よっても、簡易な構成で表示装置１００と表示装置２００のそれぞれに所望の画像を容易に表示できるという効果が得られる。
【００７６】
なお、表示装置１００，２００の動作モードに依らずに、図９のＳ９０７の処理と、図１０のＳ１００６の処理とが行われてもよい。表示装置１００，２００の動作モードに依らずに、図９のＳ９０６の処理と、図１０のＳ１００４の処理とが行われてもよい。
【００７７】
＜実施例３＞
以下、本発明の実施例３について説明する。本実施例では、図１２に示すように、或る表示装置でシングル表示が行われており、且つ、他の表示装置でマルチ表示が行われている場合などにおいて、それらの表示装置を好適に連動させる例を説明する。具体的には、或る表示装置の表示レイアウトがマルチ表示に切り替えられた場合に、他の表示装置の表示レイアウトをシングル表示に切り替えるように制御する例を説明する。なお、以下では、実施例１と異なる点（構成、処理、等）について詳しく説明し、実施例１と同じ点についての説明は省略する。
【００７８】
（表示装置の構成）
本実施例に係る表示装置１００の構成の一例について説明する。なお、表示装置２００の構成は表示装置１００の構成と同様であり、表示装置２００は、以下の説明における「表示装置１００」を「表示装置２００」と読み替え且つ「表示装置２００」を「表示装置１００」と読み替えた処理を行う。
【００７９】
本実施例では、表示装置１００に対するレイアウト切替操作に応じた表示レイアウト（切り替え後の表示レイアウト）が操作部１０４から制御部１０７へ出力された場合に、制御部１０７は、現在の動作モードの設定情報を記憶部１０５から取得する。そして、制御部１０７は、現在の動作モードに応じて、通信部１０６を介して表示装置２００へレイアウト切替要求を送信する。ここで、レイアウト切替要求は、表示装置２００の表示レイアウトを切り替える指示である。なお、実施例１と同様に、制御部１０７は、操作部１０４から通知された表示レイアウトをレイアウト部１０３へ通知したり、操作部１０４から通知された表示レイアウトの情報を記憶部１０５に記録したりする（表示レイアウトの更新）。
【００８０】
また、本実施例では、制御部１０７は、表示装置２００から通信部１０６を介してレイアウト切替要求を受信することがある。ここで、レイアウト切替要求は、表示装置１００の表示レイアウトを切り替える指示である。この場合に、制御部１０７は、現在の動作モードの設定情報を記憶部１０５から取得する。そして、制御部１０７は、現在の動作モードに応じて、レイアウト切替要求に対応する表示レイアウト（切り替え後の表示レイアウ
ト）をレイアウト部１０３へ出力したり、レイアウト切替要求に対応する表示レイアウトの情報を記憶部１０５に記録したりする。
【００８１】
本実施例では、通信部１０６は、表示装置２００との間でレイアウト切替要求の送受信を行う。例えば、図１３に示すように、ＨＴＴＰ通信のデータ部を用いて、表示レイアウトを識別する情報がレイアウト切替要求として送受信される。
【００８２】
（処理フロー）
本実施例に係る表示装置１００と表示装置２００の処理フローの一例について説明する。ここでは、表示装置１００に対してレイアウト切替操作が行われたとする。
【００８３】
図１４は、表示装置１００の処理フローの一例を示すフローチャートである。表示装置１００に対するレイアウト切替操作が行われたことに応じて、図１４の処理フローが開始される。なお、以下の説明における各機能部は、表示装置１００に設けられた機能部である。
【００８４】
ステップＳ１４０１において、操作部１０４は、レイアウト切替操作に応じて、切り替え後の表示レイアウトを制御部１０７へ通知する。制御部１０７は、操作部１０４から通知された表示レイアウトの情報を記憶部１０５に記録したり、操作部１０４から通知された表示レイアウトをレイアウト部１０３へ通知したりする。その結果、表示装置１００に設定された表示レイアウトが更新され、操作部１０４から通知された表示レイアウトの画像データにレイアウト画像データが更新される。
【００８５】
ステップＳ１４０２において、制御部１０７は、現在の動作モードの設定情報を記憶部１０５から取得する。
【００８６】
ステップＳ１４０３において、制御部１０７は、ステップＳ１４０２で取得した設定情報に応じて、現在の動作モードが連動モード１であるか否かを判断する。現在の動作モードが連動モード１である場合にはステップＳ１４０４へ処理が進められ、現在の動作モードが連動モード１でない場合にはステップＳ１４０７へ処理が進められる。
【００８７】
ステップＳ１４０４において、制御部１０７は、ステップＳ１４０２で取得した設定情報に応じて、現在の動作モードが連動モード１（親）であるか否かを判断する。現在の動作モードが連動モード１（親）である場合には、ステップＳ１４０５へ処理が進められる。現在の動作モードが連動モード１（親）でない場合（現在の動作モードが連動モード１（子）である場合）には、レイアウト切替要求が表示装置２００に送信されることなく、本処理フローが終了される。
【００８８】
ステップＳ１４０５において、制御部１０７は、表示装置１００における現在の表示レイアウト（ステップＳ１４０１で操作部１０４から通知された表示レイアウト）がマルチ表示であるか否かを判断する。現在の表示レイアウトがマルチ表示である場合には、ステップＳ１４０６へ処理が進められる。現在の表示レイアウトがマルチ表示でない場合（現在の表示レイアウトがシングル表示である場合）には、レイアウト切替要求が表示装置２００に送信されることなく、本処理フローが終了される。
【００８９】
ステップＳ１４０６において、制御部１０７は、シングル表示を表示装置２００に行わせるレイアウト切替要求を生成し、通信部１０６を介して表示装置２００へ送信する。
【００９０】
ステップＳ１４０７において、制御部１０７は、ステップＳ１４０２で取得した設定情報に応じて、現在の動作モードが連動モード２であるか否かを判断する。現在の動作モー
ドが連動モード２である場合にはステップＳ１４０８へ処理が進められる。現在の動作モードが連動モード２でない場合（現在の動作モードが連動モードＯＦＦである場合）には、レイアウト切替要求が表示装置２００に送信されることなく、本処理フローが終了される。
【００９１】
ステップＳ１４０８において、制御部１０７は、表示装置１００の表示レイアウトと同じ表示レイアウトでの表示を表示装置２００に行わせるレイアウト切替要求を生成し、通信部１０６を介して表示装置２００へ送信する。つまり、表示装置１００の表示レイアウトがマルチ表示に切り替えられた場合には、マルチ表示を表示装置２００に行わせるレイアウト切替要求が生成され、表示装置２００へ送信される。表示装置１００の表示レイアウトがシングル表示に切り替えられた場合には、シングル表示を表示装置２００に行わせるレイアウト切替要求が生成され、表示装置２００へ送信される。
【００９２】
図１５は、表示装置２００の処理フローの一例を示すフローチャートである。表示装置２００が表示装置１００からレイアウト切替要求を受信したことに応じて、図１５の処理フローが開始される。なお、以下の説明における各機能部は、表示装置２００に設けられた機能部である。
【００９３】
ステップＳ１５０１において、制御部１０７は、現在の動作モードの設定情報を記憶部１０５から取得する。
【００９４】
ステップＳ１５０２において、制御部１０７は、ステップＳ１５０１で取得した設定情報に応じて、現在の動作モードが連動モード１であるか否かを判断する。現在の動作モードが連動モード１である場合にはステップＳ１５０３へ処理が進められ、現在の動作モードが連動モード１でない場合にはステップＳ１５０５へ処理が進められる。
【００９５】
ステップＳ１５０３において、制御部１０７は、ステップＳ１５０１で取得した設定情報に応じて、現在の動作モードが連動モード１（親）であるか否かを判断する。現在の動作モードが連動モード１（親）でない場合（現在の動作モードが連動モード１（子）である場合）には、ステップＳ１５０４へ処理が進められる。現在の動作モードが連動モード１（親）である場合には、表示装置１００から受信したレイアウト切替要求に応じることなく、本処理フローが終了される。
【００９６】
ステップＳ１５０４において、制御部１０７は、表示装置１００から受信したレイアウト切替要求に応じて、表示レイアウトをレイアウト部１０３へ出力したり、表示レイアウトの情報を記憶部１０５に記録したりする。その結果、表示装置２００に設定された表示レイアウトが更新され、表示装置１００から受信したレイアウト切替要求に応じた表示レイアウトの画像データにレイアウト画像データが更新される。例えば、表示装置１００に連動モード１（親）が設定されており、且つ、表示装置１００の表示レイアウトがマルチ表示に切り替えられた場合には、ステップＳ１５０４の処理により、表示装置２００でシングル表示が行われる。
【００９７】
ステップＳ１５０５において、制御部１０７は、ステップＳ１５０１で取得した設定情報に応じて、現在の動作モードが連動モード２であるか否かを判断する。現在の動作モードが連動モード２である場合にはステップＳ１５０６へ処理が進められる。現在の動作モードが連動モード２でない場合（現在の動作モードが連動モードＯＦＦである場合）には、表示装置１００から受信したレイアウト切替要求に応じることなく、本処理フローが終了される。
【００９８】
ステップＳ１５０６において、制御部１０７は、表示装置１００から受信したレイアウ
ト切替要求に応じて、表示レイアウトをレイアウト部１０３へ出力したり、表示レイアウトの情報を記憶部１０５に記録したりする。その結果、表示装置２００に設定された表示レイアウトが更新され、表示装置１００から受信したレイアウト切替要求に応じた表示レイアウトの画像データにレイアウト画像データが更新される。例えば、表示装置１００に連動モード２が設定されいる場合には、ステップＳ１５０４の処理により、表示装置１００の表示レイアウトと同じ表示レイアウト（シングル表示またはマルチ表示）での表示が表示装置２００で行われる。
【００９９】
以上の処理によれば、表示装置１００の表示レイアウトがマルチ表示に切り替えられたことに応じて、表示装置２００の表示レイアウトがシングル表示に切り替えられるように、表示装置１００と表示装置２００を連動させることができる（図１６）。さらに、表示装置１００の表示レイアウトが切り替えられたことに応じて、表示装置２００の表示レイアウトが、表示装置１００の表示レイアウトと同じ表示レイアウトに切り替えられるように、表示装置１００と表示装置２００を連動させることもできる。そして、以上の処理によれば、簡易な構成で表示装置１００と表示装置２００のそれぞれの表示レイアウトを所望の表示レイアウトに容易に切り替えることができるという効果が得られる。
【０１００】
なお、表示装置１００，２００の動作モードに依らずに、図１４のＳ１４０６の処理と、図１５のＳ１５０４の処理とが行われてもよい。表示装置１００，２００の動作モードに依らずに、図１４のＳ１４０８の処理と、図１５のＳ１５０６の処理とが行われてもよい。レイアウト変更要求は、レイアウト切替要求の送信元（表示装置）の動作モードを示す情報を含んでもよい。そして、表示装置１００の動作モードが連動モード１（親）であり且つ表示装置２００の動作モードが連動モード１（子）である場合に限って、Ｓ１５０４の処理が行われてもよい。表示装置１００の動作モードと表示装置２００の動作モードとの両方が連動モード２である場合に限って、Ｓ１５０６の処理が行われてもよい。
【０１０１】
なお、実施例１〜３（図２）の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【０１０２】
なお、実施例１〜３（上述した変形例を含む）はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。
【０１０３】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１０４】
１００，２００：表示装置  １０１：取得部  １０３：レイアウト部
１０４：操作部  １０６：通信部  １０７：制御部  １０９：表示部
【図１】
2020126147.tif 000003
【図２】
2020126147.tif 000004
【図３】
2020126147.tif 000005
【図４】
2020126147.tif 000006
【図５】
2020126147.tif 000007
【図６】
2020126147.tif 000008
【図７】
2020126147.tif 000009
【図８】
2020126147.tif 000010
【図９】
2020126147.tif 000011
【図１０】
2020126147.tif 000012
【図１１】
2020126147.tif 000013
【図１２】
2020126147.tif 000014
【図１３】
2020126147.tif 000015
【図１４】
2020126147.tif 000016
【図１５】
2020126147.tif 000017
【図１６】
2020126147.tif 000018